Podtech/llm-jp-corpus-v4-ja_patent huggingface dataset:
(57)【要約】      （修正有）【課題】電車の車内で立った姿勢でモバイル機器の映像を楽しむことが出来るモバイル機器の保持具。【解決手段】電車車内の網棚に位置する手すり（鉄棒）と器具を結合させるグリップ部１と、このグリップ部から伸びるアーム部分２と、携帯電話や携帯テレビ、モバイルゲーム、モバイルＰＣといった映像（及び音声含む）を表現するモバイル機器４とアーム部分を結合させるグリップ部３と、を備えた簡易設置具で、モバイル機器を手に持つことなく、視点も目線やや上の位置で固定できるので映像が見やすくなる。【選択図】図１
0003115096.tif 000002
【実用新案登録請求の範囲】
【請求項１】
電車車内の網棚に位置する手すり（鉄棒）と器具を結合させるグリップ部と、このグリップ部から伸びるアーム部分と、携帯電話や携帯テレビ、モバイルゲーム、モバイルＰＣといった映像（及び音声含む）を表現するモバイル機器とアーム部分を結合させるグリップ部と、を備えた簡易設置具。
【考案の詳細な説明】
【技術分野】
【０００１】
本考案は、携帯電話や携帯テレビ、モバイルゲーム、モバイルＰＣなど、映像（及び音声含む）を表現するモバイル機器の保持（設置）具に関する。
【背景技術】
【０００２】
従来、電車の車内で立った姿勢でモバイル機器の映像を楽しもうとすると、モバイル機器を手に持っていた。
【考案の開示】
【考案が解決しようとする課題】
【０００３】
しかし、これでは長時間手に安定させて保持していなくてはならず、数百ｇ程度とはいえ負担だった。また、手で保持すると姿勢が下向きになりやすく、見にくかった。
【課題を解決するための手段】
【０００４】
そこで、電車車内の網棚に位置する手すり（鉄棒）と器具を結合させるグリップ部１と、このグリップ部から伸びるアーム部分２と、携帯電話や携帯テレビ、モバイルゲーム、モバイルＰＣといった映像（及び音声含む）を表現するモバイル機器４とアーム部分を結合させるグリップ部３と、を備えた簡易設置具を考案した（図１）。この簡易設置具により、モバイル機器を適切な目線の高さに固定、安定させ、保持することができる。
【考案の効果】
【０００５】
よって、モバイル機器を手に持つことなく、視点も目線やや上の位置で固定できるので映像が見やすくなる。また、前に座る人が離席する際に保持具が動線上にあり邪魔になるが、この様なとっさの場合にすぐ保持具を動線から動かせる様にしている。
【考案を実施するための最良の形態】
【０００６】
電車車内の手すり（鉄棒）と器具を結合させるグリップ部１は、クリップによるワンタッチで固定、脱着が出来るようになっており、また接着面５にはゴム状を貼り付け、滑らない様に強度を確保する。このクリップ部とアーム部分には関節機能をもたせ、ワンタッチで上下に可動できる様にする。アーム部分はデスクライトの可変アーム部分の様に若干形状を動かせる仕様になっており、全体のポジション位置の変更を可能とする。モバイル機器４とアーム部分２を結合させるグリップ部３は、モバイル機器の大きさが異なっても対応できる様に縦横がそれぞれ可動式となっており、ワンタッチでの固定、脱着を可能とする。また設置部分６はスポンジ状のゴムを用いて、モバイル機器にやさしくフィットする様にしている。
【図面の簡単な説明】
【０００７】
【図１】本考案に係るモバイル機器の保持（設置）具の実施例を示す側面図である。
【図２】本考案に係るモバイル機器の保持（設置）具の実施例を示す概要図である。
【符号の説明】
【０００８】
１          手すり（鉄棒）と器具を結合させるグリップ部
２          アーム部分
３          モバイル機器とアーム部分を結合させるグリップ部
４          取り付けるモバイル機器
５          ゴムを貼り付け、滑らない様にしたゴム状の接触面
６          スポンジ状のゴム
【図１】
0003115096.tif 000003
【図２】
0003115096.tif 000004
(57)【要約】      （修正有）【課題】雑草の生育を効果的に防止する。【解決手段】歩道Ｓ及び車道Ｒの境界縁石ブロック１等コンクリート構造物の形状に、雑草の生育を防止する段部３を設けたことを特徴とする縁石ブロック等コンクリート構造物である。また、段部３の幅や深さを定める事により均一にアスファルトの舗装工事ができるようになる。【選択図】図１
0003115015.tif 000002
【実用新案登録請求の範囲】
【請求項１】
縁石ブロック等コンクリート構造物と、アスファルト舗装境界部に、雑草の生育を防止する為の、縁石ブロック等コンクリート構造物の端に、段部を設けることを特徴とする縁石ブロック等コンクリート構造物。
【請求項２】
縁石ブロック等コンクリート構造物の、段部の深さを定める事により、アスファルト舗装工事において、厚みが均一になることを特徴とする請求項１記載の縁石ブロック等コンクリート構造物。
【考案の詳細な説明】
【技術分野】
【０００１】  この考案は、歩道及び車道の境界縁石ブロック等コンクリート構造物の形状に関する。
【背景技術】
【０００２】  従来の歩道及び車道の境界縁石ブロック等コンクリート構造物の境界部は、構築時において隙間が無いため雑草は生育しない。しかし大型車両等の通行による重荷重、及び舗装材の劣化等経歴により、境界部図４の１とＳの境界面、そして２とＲの境界面に隙間が生じ、そこに雑草が根を下ろして地中深く生長して根付いてしまう。【０００３】そして根付いてしまった雑草は刈り取っても引き抜いても境界面の地中から、その隙間を通して雑草が生長する。【０００４】また、アスファルト舗装の厚みが均一でない為に、経歴によりアスファルトの厚みが薄い場所において、割れ目が生じ雑草が蔓延ってしまう。
【考案の開示】
【考案が解決しようとする課題】
【０００５】  しかしながら、以上の技術によれば、歩道及び車道の境界縁石ブロック等コンクリート構造物図３及び図４の１及び２では、縁石ブロック等コンクリート構造物と、アスファルト舗装境界部に発生した隙間に、雑草が生育し、その雑草の除去作業に膨大なコストがかかっている。【０００６】またアスファルトの舗装厚みが均一でない為、経歴によりアスファルトの厚みが薄い場所において割れ目が生じ雑草が蔓延ってしまう。【０００７】そこで、本考案は図１及び図２に示す段部３により、アスファルト舗装及びコンクリート打設によって、地中の土と地上を、完全に遮断する事ができ、縁石ブロック等コンクリート構造物とアスファルト舗装境界部に発生する雑草の生育を防止すると共に、且つアスファルトの舗装厚みが均一になる縁石ブロック等コンクリート構造物を提供する事を課題とする。
【課題を解決するための手段】
【０００８】  以上の課題を解決するために、第一考案は、従来の歩道及び車道の境界縁石ブロック等コンクリート構造物の形状に、図１に示す段部３を設けたことを特徴とする縁石ブロック等コンクリート構造物である。【０００９】  また、第二考案は、図２に示す段部３の幅Ｘや深さＹを定める事により、均一にアスファルトの舗装工事ができることを特徴とする縁石ブロック等コンクリート構造物である。
【考案の効果】
【０００１０】  第一考案の効果は、縁石ブロック等コンクリート構造物とアスファルト舗装境界部に、発生した隙間に生育する雑草を防止しする事により、雑草の除去作業にかかる大幅なコスト削減ができる。【０００１１】  第二考案の効果は、アスファルトの舗装厚みが均一になるように縁石ブロック等コンクリート構造物を、図２に示す３の幅Ｘや深さＹを定める事により、均一にアスファルトの舗装工事ができ、官署などに提出する施工写真においても一見で施工状態が分かる事になる。
【考案を実施するための最良の形態】
【０００１２】  この考案の実施形態を、図１に示す。
縁石ブロック等コンクリート構造物とアスファルト舗装境界部に段部３を設けてある。
【実施例】
【０００１３】  「実施形態の効果」
この実施形態によれば、雑草の除去作業にかかる大幅なコスト削減ができる。
また、アスファルト舗装工事において均一にアスファルトの舗装ができる事になる。
【図面の簡単な説明】
【０００１４】
【図１】  本考案の実施形態を示す断面図である。
【図２】  本考案の技術を示す断面図である。
【図３】  従来の技術を示す断面図である。
【図４】  従来の実施形態を示す断面図である。
【図５】  従来の構造物における雑草の繁茂状態の例を示す斜視図である。
【符号の説明】
【０００１５】１  縁石ブロック
２  エプロン（コンクリート構造物）
３  段部
Ｓ  歩道
Ｒ  車道
Ｇ  雑草
Ｙ  深さ
Ｘ  幅
【図１】
0003115015.tif 000003
【図２】
0003115015.tif 000004
【図３】
0003115015.tif 000005
【図４】
0003115015.tif 000006
【図５】
0003115015.tif 000007
(57)【要約】【課題】有害な紫外線などの太陽光線から眼を保護出来る跳ね上げ式サングラスにおいて跳ね上げフレーム１のレンズ縁下部を伸ばすことによって眼だけでなく顔全体を太陽光線から保護出来るようにすること。【解決手段】有害な紫外線などの太陽光線から眼を保護出来る跳ね上げ式サングラスのブリッジ部を高くしブリッジ高部２をつくることによって、跳ね上げフレーム１のレンズ縁下部を鼻にあたる事なく伸ばし、顔全体を有害な太陽光線から保護出来又、跳ね上げる事によっても跳ね上げフレーム１による影によっても保護できます。【選択図】    図１
0003115011.tif 000002
【実用新案登録請求の範囲】
【請求項１】
紫外線などの有害な太陽光線をカット出来る跳ね上げ式サングラスであってブリッジ部を高くし、跳ね上げフレームと角度をつけて鼻にあたる事なく跳ね上げフレームのレンズ縁下部を伸ばした顔面紫外線遮へい部材である。
【考案の詳細な説明】
【技術分野】
【０００１】    本考案は、顔を紫外線カットする為の顔面紫外線遮へい部材に関する。
【背景技術】
【０００２】    従来の紫外線カットできる跳ね上げ式サングラスは、眼だけを紫外線などの太陽光線から遮断する物であり顔は、遮断出来ませんでした。
【考案の開示】
【考案が解決しようとする課題】
【０００３】    外出時に白内障等の眼への影響だけでなく顔全体を紫外線や赤外線など人体に悪影響を及ぼす太陽光線から遮断し、皮膚癌や感染症等の皮膚疾患への影響も防ぎ皮膚を守りたい。【０００４】    一般の眼鏡の重量のほとんどが耳あてより鼻のところにかかり鼻あての役割は大きく、鼻あてがありサンバイザーよりずれにくく、又日傘より自転車に乗っている時や子育て中等で片手がふさがる事なく安全に紫外線カバーできる物にしたい。【０００５】    跳ね上げ機能により太陽光線面を調節出来、眼の疲れにくい物にしたい。【０００６】    帽子やサンバイザーの様に髪の毛が乱れずおしゃれに紫外線カバーしたい。
【課題を解決するための手段】
【０００７】    本考案は，紫外線などの有害な太陽光線をカット出来る跳ね上げ式サングラスであってブリッジ部を高くし、跳ね上げフレームと角度をつけて鼻にあたる事なく跳ね上げフレームのレンズ縁下部を大きく伸ばすことにより顔を人体に悪影響を及ぼす太陽光線から遮断する。
【考案の効果】
【０００８】    上述したように本考案の顔面紫外線遮へい部材を装着する事で、紫外線から眼を守るだけでなく顔全体への紫外線をカットしてくれます。紫外線は、今後、オゾン層の破壊が進んで放射量が増える可能性が高いと懸念されています。その中で白内障や角膜炎など眼への悪影響を防ぐだけでなく、遺伝子に傷をつけ皮膚癌発生の原因となることや、免疫機能を低下させ感染症にかかる事への予防にもなります。【０００９】    鼻あてがありずれにくくきちんと固定され、自動車や自転車に乗っている時、又、子育て中、スポーツ等でずれてきて片手がふさがる事なく安全に紫外線カバーできます。【００１０】    安全で簡単に外出時に装着出来る事により、長い間繰り返し紫外線を浴び続けることにより、肌がくすみ、皮膚の弾力が失われ、深いシワが形成される光老化の予防や顔の表皮が紫外線を受ける事によりメラニンがつくられ、顔が日焼けする事や過剰にメラニンがつくられる事により出来る顔のシミを防ぎ美容にも良いです。【００１１】    跳ね上げ機能により不要の際には、簡単に跳ね上げたりできるので眼の疲れも少なくなります。又、跳ね上げ時の跳ね上げフレームによる影によってその部分も紫外線からカバー出来、眼鏡着用者には、眼鏡にも重ねて使えます。
【考案を実施するための最良の形態】
【００１２】    図１の１に示す様に跳ね上げ式サングラスの跳ね上げフレームのレンズ縁下部を顎の辺りまで伸ばして耳かけ部分の手前まで横に広げ紫外線カバーする。又は、レンズ縁下部を鼻下辺りまで伸ばしても重くならずおしゃれに紫外線カバー出来て良いです。【００１３】    跳ね上げフレームには、紫外線カットサングラスだけでなく有害な太陽光線がカット出来、軽くて強い透明な物でも保護出来て良いです。【００１４】    図１の２に示す様にブリッジ部を０．５ｍｍから２ｃｍ高くし、図１の３に示す様にブリッジ部と跳ね上げフレームの角度は１０度から４０度つけると一般の人の鼻に跳ね上げフレームが当たらなくて良いです。【００１５】    ブリッジ部を高くする物は、跳ね上げフレームを傷つけにくく、弾力のある物が適当であります。【００１６】    図３、図４に示す様に必要に応じて跳ね上げる事が出来、跳ね上げ時も跳ね上げフレームによる影により紫外線カバー出来ます。
【図面の簡単な説明】
【００１７】
【図１】    本考案の顔面紫外線遮へい部材を示した斜視図である。
【図２】    本考案の顔面紫外線遮へい部材の跳ね上げフレームを外し、逆さにした時の斜視図である。
【図３】    本考案の顔面紫外線遮へい部材の装着図である。
【図４】    本考案の顔面紫外線遮へい部材の跳ね上げ時の装着図である。
【符号の説明】
【００１８】    １  跳ね上げフレーム
２  ブリッジ高部
３  ブリッジ部と跳ね上げフレームの角度部
【図１】
0003115011.tif 000003
【図２】
0003115011.tif 000004
【図３】
0003115011.tif 000005
【図４】
0003115011.tif 000006
(57)【要約】【課題】  ディスクグラインダーは研磨という用途以外に鉄筋・管材の切断に利用されている。木工用切断工具には指が離れると刃が停止する機能があるが、ディスクグラインダーは指が離れても砥石もしくは刃が回転を続け、大きな事故が発生している。そこで誤って本体から手を離してしまった場合の事故を最小限にとどめようとするものである。【解決手段】  端部のスイッチ（以下スイッチＢ）と別に本体を握る位置にスイッチ（以下スイッチＡ）を設ける。スイッチＡ、Ｂともに起動位置にある場合のみ砥石もしくは刃が回転する構造とする。スイッチＡを起動位置に維持しないと砥石もしくは刃の回転は停止し、スイッチＢも自動的に停止位置に移動する。【選択図】    図１
0003115014.tif 000002
【実用新案登録請求の範囲】
【請求項１】
本体を握る位置に砥石もしくは刃の回転を起動・停止することができるスイッチ（以下スイッチＡ）があり、作業者の手からスイッチＡが離れた場合に砥石もしくは刃の回転が止まり、スイッチＡとスイッチＡ以外のスイッチＢの両方を操作することにより再起動することができるディスクグラインダー
【考案の詳細な説明】
【技術分野】
【０００１】  起動スイッチに安全装置を付加したディスクグラインダーに関するもの
【背景技術】
【０００２】  ディスクグラインダーのスイッチは端部にあり片手で起動することはできず、手を離しても砥石もしくは刃は回転し続ける構造になっていた。
【考案の開示】
【考案が解決しようとする課題】
【０００３】  ディスクグラインダーは研磨という用途以外に鉄筋・管材の切断に利用されている。木工用切断工具には指が離れると刃が停止する機能があるが、ディスクグラインダーは指が離れても砥石もしくは刃が回転を続け、大きな事故が発生している。そこで誤って手を離してしまった場合の事故を最小限にとどめようとするものである。
【課題を解決するための手段】
【０００４】  一般的に取り付けられている端部のスイッチ（以下スイッチＢ）と別に本体を握る位置にスイッチ（以下スイッチＡ）を設ける。スイッチＡ、Ｂともに起動位置にある場合のみ砥石もしくは刃が回転する構造とする。スイッチＡを起動位置に維持しないと砥石もしくは刃の回転は停止し、スイッチＢも自動的に停止位置に移動する。
【考案の効果】
【０００５】  ディスクグラインダーの起動時に両手でスイッチＢを起動位置に移動し、作業体勢を整えた時点でスイッチＡを起動位置に移動させ、砥石もしくは刃を回転させる。これによりスイッチＢを起動位置に移動した時点で回転が始まらないため、起動時の事故の発生を防ぐことができる。
併せて、使用中に誤って手が離れた場合には砥石もしくは刃の回転が停止し、スイッチＡが起動位置に移動しても再起動せず、事故の発生を最小限に抑えることができる。
【考案を実施するための最良の形態】
【０００６】  スイッチＡの形状はスライド型とし、本体から手が離れた場合に即時に停止位置に戻る構造とする。スイッチＡ又はＢが停止位置に移動した場合に砥石もしくは刃の回転が瞬時に停止するブレーキ機能があればなお好ましい。
【実施例】
【０００７】  以下、添付図面に従って一実施例を説明する。１は用途に合わせて取り替えることができる砥石もしくは刃、２は鉄製で作業者の手が回転する砥石もしくは刃に触れることを防止する安全カバー、３は作業者の手が本体から離れた際に停止位置に戻る仕組みのスイッチＡ、４は作業者が当工具を握る部分である本体、５はスナップ型のスイッチＢ、６は電力供給のための電源ケーブルである。
【図面の簡単な説明】
【０００８】
【図１】  本考案の安全スイッチ付ディスクグラインダー実施例を示した平面図である
【符号の説明】
【０００９】  １    砥石もしくは刃
２    安全カバー
３    スイッチＡ
４    本体
５    スイッチＢ
６    電源ケーブル
【図１】
0003115014.tif 000003
(57)【要約】      （修正有）【解決手段】フック部１を中央部に設けたハンガー本体とこの本体の両端間に繋がると共に本体下部に位置した前後の橋渡し片５とで構成し、しかも一方片が他方片に対し凹反り、又は凸反りに反転するよう弾性で且つ弧状に形成した構成を持つハンガー。【効果】弾性橋渡し片５の簡便な操作（凸反り）によって空間が創出され、通気性が向上するため雨天時は無論、晴天時においても乾燥効率がアップする。【選択図】図７
0003115017.tif 000002
【実用新案登録請求の範囲】
【請求項１】
フック部を中央部に設けたハンガー本体とこの本体の両端間に繋がると共に本体下部に位置した前後の橋渡し片とで構成し、しかも一方片が他方片に対し凹反り、又は凸反りに反転するよう弾性で且つ弧状に形成したハンガー。
【請求項２】
フック部を中央部に設けたランドリーハンガー本体と、この本体の両端間に繋がると共に本体下部に位置した前後の橋渡片とで構成し、しかも前後橋渡し片を共に凹反り又は凸反りに反転するよう弾性で且つ弧状に形成した請求項１記載のハンガー。
【請求項３】
前後橋渡し片の一方に褶曲した突部を設けた請求項１〜２記載のハンガー。
【考案の詳細な説明】
【技術分野】
【０００１】  本考案は衣料用ハンガーに関し、さらに詳しくは通気効率を上げたハンガーに属する。
【背景技術】
【０００２】  ハンガーはプラスチック製か針金を曲げ加工した物が多く、平面的な製品が大多数を占めている。【０００３】  平面的なハンガーは洗濯した衣類の内壁に隙間が少なく、例え乾燥効率が悪くても晴天屋外で干す場合は何ら問題は生じない。
【考案の開示】
【考案が解決しようとする課題】
【０００４】  だが梅雨時には屋外で干す事が出来ない一般家庭では、事態は一変する。従来の平面的なハンガーでは室内に洗濯物を接近して乾かす事が多く、何時までたっても乾かない。【０００５】  しかも求めるハンガーは収納性が良く、かさばる物ではいけない。【０００６】  本考案は上記現状に対し、洗濯物が良く乾き且つ収納性にも対処したハンガーを実現することを目標にした。
【課題を解決するための手段】
【０００７】  本考案は上記目標を実現するものであり、フック部を中央部に設けたハンガー本体とこの本体の両端間に繋がると共に本体下部に位置した前後の橋渡し片とで構成し、しかも一方片が他方片に対し凹反り、又は凸反りに反転するよう弾性で且つ弧状に形成した構成を持つハンガー。
【考案の効果】
【０００８】  本ハンガーは弾性橋渡し片の簡便な操作によって空間が創出され、通気性が向上するため雨天時は無論、晴天時においても乾燥効率がアップする。【０００９】  しかも弾性橋渡し片を格納した状態で使用しても、従来品と比べ何ら機能的な問題は生じない。
【考案を実施するための最良の形態】
【００１０】  図１は本考案のうち請求項１記載の考案ついて、実施の形状を具現化した斜視図である。フック部１を中央部に備えたハンガー本体２はその両端部２ａ、２ｂを以って形を成す。この本体の両端間を弧状に繋がる後橋渡し片部４を形成し、空間部３を生成する。さらに後橋渡し片部４に内隣する弧状の弾性前橋渡し片部５を両端部２ａ、２ｂに接続した本ハンガーは、例えばプラスチック、金属、木材等によって構成されている。【００１１】  図２は凹反り又は凸反りに反転する状態についての説明であり、例えば突部５ｃを左手で摘み、後橋渡し片４の中心部、或はハンガー本体２を右手で持ちながら引張れば弾性作用でポンと手前側へ凸反りするべく形成されている。【００１２】  反対に格納する場合は図２において、弾性前橋渡し片５の左右押当て部５ａ、５ｂを両手各々の親指でハンガー本体両端部２ａ、２ｂを掴む要領で押し込むと凹反りして、後橋渡し片部４の内側に収まるよう形成されている。【００１３】  図３は弾性前橋渡し片部５が凸反りした状態を表し、図４はその前後橋渡し部断面を表す。新しく出現した下方空間部６は洗濯した衣類を本ハンガーに掛けた時、空間部３と共に空気の通路になるよう形成されている。【００１４】  図５は橋渡し片を共に弾性前後橋渡し片５，７とし、弾性前橋渡し片部５の凸反りした状態を示し、下方空間部６を生成するよう形成されている。【００１５】  図６は本ハンガーを収納するため、複数個重ねた姿を表したもの。
【図面の簡単な説明】
【００１６】
【図１】本考案ハンガーの全体斜視図。
【図２】同上の橋渡し片の凹反り、凸反り動作を説明する斜視図。
【図３】本考案ハンガーの使用時における全体斜視図。
【図４】本考案ハンガーの橋渡し片の断面図。
【図５】本考案ハンガーの橋渡し片の異なる実施例を示す断面図。
【図６】本考案ハンガーを複数個重ねた状況を示す斜視図。
【図７】本考案ハンガーを使用した状態を示す斜視図。
【符号の説明】
【００１７】  １  フック部
２  ハンガー本体部
２ａ  左端部
２ｂ  右端部
３  正面空間部
４  後橋渡し片部
５  弾性前橋渡し片部
５ａ  弾性前橋渡し片左押当て部
５ｂ  弾性前橋渡し片右押当て部
５ｃ  突部
６  下方空間部
７  弾性後橋渡し片部
【図１】
0003115017.tif 000003
【図２】
0003115017.tif 000004
【図３】
0003115017.tif 000005
【図４】
0003115017.tif 000006
【図５】
0003115017.tif 000007
【図６】
0003115017.tif 000008
【図７】
0003115017.tif 000009
(57)【要約】【課題】  地面に落ちても、人も犬も拾いやすい円盤状飛行遊戯具を提供すること。【解決手段】  円盤状飛行遊戯具（１）の外周縁部（２）全周が、地面（３）と全面で面着することの無い様、該円盤状飛行遊戯具（１）の裏面中心部（４）から地面方向へ、該外周縁部（２）が若干浮き上がる程度の長さ（６）突き出るよう、予め脚部（５）が設けられていることを特徴とする。【選択図】図１
0003115016.tif 000002
【実用新案登録請求の範囲】
【請求項１】
円盤状飛行遊戯具（１）の外周縁部（２）全周が、地面（３）と全面で面着することの無い様、該円盤状飛行遊戯具（１）の裏面中心部（４）から地面方向へ、該外周縁部（２）が若干浮き上がる程度の長さ（６）突き出るよう、予め脚部（５）が設けられていることを特徴とする円盤状飛行遊戯具（１）。
【考案の詳細な説明】
【技術分野】
【０００１】  本考案は、円盤状飛行遊戯具に監視、遊んでいる時に拾いやすい円盤状飛行遊戯具に関する。
【背景技術】
【０００２】  従来の円盤状飛行遊戯具、いわゆるフリスビー（商標名）は、お皿形状のものを、人と人の場合は投げ合ってキャッチして遊んでいる。又、人と犬の場合だと、人が投げた円盤状飛行遊戯具を犬が口でキャッチして遊ぶというものである。
【考案の開示】
【考案が解決しようとする課題】
【０００３】  従来の円盤状飛行遊戯具は、プラスチック素材により、成形され、表面にデザインを印刷したりしており、形状は基本的に、平面は円形でお皿形状のように、一定の厚みを持っている。
また近年は蓄光材料で光るようなものがあったり、円盤の外周部分に他のゴム材料等のようにクッション性を持たせて安全なものなどが製造・販売されている。
しかしながら、人と人とで投げ合って遊ぶ場合、慣れるまでは、うまくキャッチ出来ず、地面に落ちた円盤状飛行遊戯具をいちいち拾い上げなければならなかった。特に子供と遊ぶ場合だと、地面に落ちた円盤状飛行遊戯具の外周縁部が地面に面着してしまい、地面と円盤状飛行遊戯具の間にスキマが無いため、簡単に指を入れて拾い上げる事が出来ず、イライラしたり、地面がコンクリート等だと、指を傷つける場合もあった。
又、人と犬の場合だと、犬がキャッチ出来ず、地面に落ちた円盤状飛行遊戯具の外周部分を必死で犬が咥えようとするが、下あごを入れるスキマが無いため、幾度も咥えるスキマが出来るまで円盤状飛行遊戯具を地面上で口で押してしまい、犬の下あごや口周りが傷つき血だらけになるという問題点があった。
本考案の目的は、これら従来の課題を解決し、地面に落ちた円盤状飛行遊戯具を簡単に拾い上げたり、犬が咥えることが出来る円盤状飛行遊戯具を提供することにある。
【課題を解決するための手段】
【０００４】  上記課題を解決するために本考案は、円盤状飛行遊戯具（１）の外周縁部（２）全周が、地面（３）と全面で面着することの無い様、該円盤状飛行遊戯具（１）の裏面中心部（４）から地面方向へ、該外周縁部（２）が若干浮き上がる程度の長さ（６）突き出るよう、予め脚部（５）を設けておく。
本考案は以上のような構成からなる円盤状飛行遊戯具である。【０００５】  本考案は以上の構成であるから、投げてキャッチを失敗して、地面に落ちて、円盤状飛行遊戯具の外周縁部の全周が地面と面着しても、裏面中心部から地面方向へ外周縁部が若干浮き上がる程度突き出た足部が設けられているため、浮き上がったスキマから指を入れて簡単に拾い上げることが出来る。
【考案の効果】
【０００６】  本考案の円盤状飛行遊戯具は、以上のような構成であるため、人と人とで遊んでいる際、地面に落ちても広げた「傘」の柄のように、その脚部により、円盤状飛行遊戯具の外周縁部のどこかにスキマが出来て、簡単に拾い上げる事が出来る。又、犬にキャッチさせたりする場合は、必ずこのスキマに下あごを入れて咥えることが出来るため、犬の下あごや口元が傷つくことも無くなる優れたものとなる。
【考案を実施するための最良の形態】
【０００７】  本考案における円盤状飛行遊戯具の形状、大きさ、デザイン、厚み、材質、製造方法等は特に限定されることはない。又、この脚部の長さ、形状等も限定される事はないが、通常は一体成形されると製造コストも安くあがる。一方、脚部をネジ式として本体裏面部分から取り外し可能としておけば、特に犬用等には慣れてキャッチ出来るようになった際、取り外して通常の円盤状飛行遊戯具として使用出来る優れたものとなる。
なお、飛行条件にあまりに負担とならぬよう、例えば、円柱形状で着地先端部は、怪我をしないように、丸みをつけておけば、着地の際にもすぐに傾いてスキマが出来るため好ましいものとなる。
【実施例】
【０００８】  以下、本考案の実施例を図１、図２、図３及び図４で説明するが、これによって本考案は限定されるものではない。
図３は図２のセンター断面を示しており、円盤状飛行遊戯具（１）の外周縁部（２）全周が、地面（３）と全面で面着することの無い様、外周縁部（２）が、若干浮き上がる程度の長さ（６）突き出すように脚部（５）が予め設けられている。
この脚部（５）先端が、図１のように地面（３）に落ちた時、外周縁部（２）より、長めに設けられているため、スキマ（７）が必ず出来る。このスキマ（７）から人であれば指、犬であれば下あごを入れて拾い上げて咥えるようになるのである。
図４は本考案の一例を裏面の斜視方向から見たものである。
【産業上の利用可能性】
【０００９】  円盤状飛行遊戯具を更に使いやすい、遊びやすいものとし、人にも犬も怪我をしたりすることがなくなるものである。
【図面の簡単な説明】
【００１０】
【図１】本考案の１実施例を示す斜視図である。
【図２】本考案の１実施例を示す平面図である。
【図３】本考案の１実施例を示す図２のセンター断面図である。
【図４】本考案の１実施例を示す斜視図である。
【符号の説明】
１  円盤状飛行遊戯具  ２  外周縁部  ３  地面
４  裏面中心部  ５  脚部  ６  若干浮き上がる程度の長さ
７  スキマ
【図１】
0003115016.tif 000003
【図２】
0003115016.tif 000004
【図３】
0003115016.tif 000005
【図４】
0003115016.tif 000006
(57)【要約】      （修正有）【課題】車輪は、滑走路面との接地前に回転しているので、接地時の路面との摩擦は小さくなり、ゴムタイヤの摩耗、損傷が軽微となるので、タイヤの交換頻度が大きく減少して、保全面の大幅なコストダウン、及び、着陸時の安全確保を図る。【解決手段】車輪に「風受けフィン」３を設けて、航空機の進行によって起きる自然風圧６によって車輪を回転させる。この時、「風受けフィン」２の形状により、車輪の上部フィンの受ける風の抵抗力は小さく、下部フィンの受ける抵抗力は大きいので、この差によって車輪は進行方向に沿って回転７する。【選択図】図２
0003115013.tif 000002
【実用新案登録請求の範囲】
【請求項１】
自然風圧によって車輪を回転させる為に、ゴムタイヤ部分に「風受けフィン」を持つた航空機用の車輪。
【請求項２】
自然風圧によって車輪を回転させる為に、タイヤホイール部分に「風受けフィン」を取りつけた航空機用の車輪。
【考案の詳細な説明】
【技術分野】
【０００１】  本考案は、航空機の車輪の回転に関するものであり、着陸時に、航空機の進行により発生する自然の風圧を利用して、滑走路面に接地するまでに、前もって車輪を回転させるものである。
【背景技術】
【０００２】  従来から、航空機が着陸する場合に、車輪は回転しておらず、回転停止の状態のまま滑走路面に高速で接地するので、路面とゴムタイヤとの間に瞬間的に極めて大きな摩擦が発生し、タイヤの接地面は摩擦熱により白煙を上げて摩耗、焼損していた。
【考案が解決しようとする課題】
【０００３】  従来のように車輪の回転停止のままの着陸では、質量の大きなゴムタイヤを瞬間に路面によって回転開始させるので、極めて大きな摩擦が起き、ゴムタイヤの接地外周面を甚だしく焼損、減耗させており、これが、着陸時の安全上の問題発生につながるのみでなく、タイヤ交換の頻度を高くし、航空機の保全経費の大きな要因の一つになっている
【課題を解決するための手段】
【０００４】  そこで、航空機の進行により、自然に起きる風圧を利用して、着陸時にゴムタイヤの外周面が、滑走路面に接触する前に、車輪を回転させる方法、即ち、車輪回転用「風受けフィン」を設けた航空機用車輪を考案した。
（イ）  航空機が前方に進む５ことにより、自然に、機体の前方から後方に向かって風圧６（風の流れ）が起きている。
（ロ）  この時、ゴムタイヤの側面部２、又は、タイヤホイール４の部分に設けた「風受けフィン」３は、前方向からこの風圧６を受けるが、フィンの形状により（図２、図４に例示）車輪の下部に在る時のフィンの風に対する抵抗力は、車輪の上部に在る時の風の抵抗力よりも大きいので、車輪は航空機の進行方向に合った回転７をする。
（ハ）  尚、航空機の着陸進入スピードに同調させて、車輪の回転数を制御する機構を設ければ、車輪の質量の大きなときには有効である。
（ニ）  「風受けフィン」の施工時期は、図１、図２、のものに就いては、ゴムタイヤの製造工程中の成形時期が望ましく、図３、図４、のものに就いては、ホイ−ルキャップにならった方法を採用して、車輪の装着時が望ましい。
【考案の効果】
【０００５】  よって、本考案の車輪回転用「風受けフィン」の作用により、車輪は、滑走路面との接地前に回転しているので、接地時の路面との摩擦は極めて小さくなり、ゴムタイヤの摩耗、損傷が軽微となるので、タイヤの交換頻度が大きく減少して、保全面の大幅なコストダウン、及び、着陸時の安全確保にも大きく貢献する。
【考案を実施する為の最良の形態】
【０００６】  （イ）  本考案は、自然発生の前方からの風圧によって車輪を回転させるので、このためには、「風受けフィン」の形状、及び、配置の数、場所については、車輪の大きさ、タイヤの形状等により、最も有効なるように決める。
（ロ）  又、「風受けフィン」を車輪の片側のみに設ける方法と、両側に設ける方法があるが車輪の構造、大きさ等により決める。
【図面の簡単な説明】
【０００７】
【図１】  本考案に係る「風受けフィン」の一例をゴムタイヤ側面に直接設けた車輪の斜視図である。
【図２】  同上、側面図である。（進行方向の左側面図）
【図３】  本考案に係る「風受けフィン」の一例をタイヤホイール部分に設けた斜視図である。
【図４】  同上、側面図である。（進行方向の左側面図）
【符号の説明】
【０００８】  １    ゴムタイヤ
２    ゴムタイヤの側面
３    風受けフィン
４    タイヤホイール
５    航空機の進行方向
６    風圧の方向
７    車輪の回転方向
８    滑走路面
【図１】
0003115013.tif 000003
【図２】
0003115013.tif 000004
【図３】
0003115013.tif 000005
【図４】
0003115013.tif 000006
(57)【要約】      （修正有）【課題】食器棚やタンス等の上で日用品や小物類を整理収納する事は出来るラックを提供する。【解決手段】下部フレームの縦パイプ１−３及び上部フレームの縦パイプ２−１を短寸法とし、中間部にネット棚３を設置する事により食器棚やタンス等と天井との空間を日用品や小物類を整理収納するスペースとする事を可能にした。【選択図】図１
0003115012.tif 000002
【実用新案登録請求の範囲】
【請求項１】
下部フレームに上部フレームをセットして天井面に突っ張った状態で中間締付具にて固定し中間部にネット棚を設置し日用品や小物類を整理収納する事が可能なラック。
【考案の詳細な説明】
【技術分野】
【０００１】本考案は収納の分野で食器棚やタンス等と天井との空間でラックの上部フレームを天井面に突っ張り空間を利用して日用品や小物類を整理収納するラックに関するものである。
【技術背景】
【０００２】従来から洋服やコート等の衣類をハンガーに掛けて整理収納するラックがあった。
【考案の開示】
【考案が解決しようとする課題】
【０００３】従来の物はフロアーで使用し洋服やコート等の衣類をハンガーで掛け整理収納する為の物であり、食器棚ヤタンス等の上に設置し日用品や小物類を整理収納できない。
【課題を解決する為の手段】
【０００４】従来の物はフロアーで洋服やコート類を掛ける為上部フレームの縦パイプ及び下部フレームの縦パイプが長寸法であったものを食器棚やタンス等の上に設置する為に前記上部フレームの縦パイプおよび前記下部フレームの縦パイプを短寸法とし、前期上部フレームと前記下部フレームの中間部にネット棚を設置する事により天井との空間を整理収納のスペースとする事を可能にした。
【考案の効果】
【０００５】下部フレームに上部フレームをセットし前記上部フレームを天井面に突っ張り中間締付具で固定し、ネット棚を設置する事により食器棚やタンス等と天井との空間を日用品や小物類を整理収納するスペースとする事が出来る。
【考案を実施する為の最良の形態】
【０００６】〔図１〕正面図
〔図２〕左側面図
〔図３〕右側面図
〔図４〕部品図
〔図５〕組立図
〔図６〕従来の物の図及び今回考案の物の図
〔図１〜図５〕の符号
▲１▼下部フレーム（▲１▼−１、▲１▼−２，▲１▼−３、▲１▼−４を組立てた物）
▲２▼上部フレーム（▲２▼−１、▲２▼−２、▲２▼−３、▲２▼−４、▲２▼−５を組立てた物）
▲３▼ネット棚
▲１▼−１ベース
▲１▼−２下部横パイプ
▲１▼−３下部縦パイプ
▲１▼−４中間締付具
▲２▼−１上部縦パイプ
▲２▼−２コーナージョイント
▲２▼−３上部横パイプ
▲２▼−４カーテンリング
▲２▼−５クッション
【図面の簡単な説明】
【０００７】
【図１】正面図
【図２】左側面図
【図３】右側面図
【図４】部品図
【図５】組立図
【図６】従来の物の図及び今回考案の物の図
【符号の説明】
【０００８】▲１▼下部フレーム
▲２▼上部フレーム
▲３▼ネット棚
▲１▼−１ベース
▲１▼−２下部フレーム横パイプ
▲１▼−３下部フレーム縦パイプ
▲１▼−４中間締付具
▲２▼−１上部フレーム縦パイプ
▲２▼−２コーナージョイント
▲２▼−３上部フレーム横パイプ
▲２▼−４カーテンリング
▲２▼−５クッション
【図１】
0003115012.tif 000003
【図２】
0003115012.tif 000004
【図３】
0003115012.tif 000005
【図４】
0003115012.tif 000006
【図５】
0003115012.tif 000007
【図６】
0003115012.tif 000008
(57)【要約】      （修正有）【課題】本考案は、記憶力の促進、自律神経の刺激、認知症防止の脳内活性化等の生理的安定中枢機能の活性化の促進、改善、予防に役立つ健康増進器を提供しようとするものである。【解決手段】基台１と該基台上で回転自在な回転座盤２とよりなり、基台には、正逆転が一対となって回転自在でその回転数と回転速度を調節自在とした電動機３を設置し、その電動機の動力を上記回転座盤に伝動自在とし、回転座盤には両脇に落下防止取っ手を設けた健康増進器である。【選択図】図１
0003115040.tif 000002
【実用新案登録請求の範囲】
【請求項１】
基台と該基台上で回転自在な回転座盤とよりなり、基台には、正逆転が一対となって回転自在でその回転数と回転速度を調節自在とした電動機を設置し、その電動機の動力を上記回転座盤に伝動自在とし、回転座盤には両脇に落下防止取っ手を設けた健康増進器。
【考案の詳細な説明】
【技術分野】
【０００１】
本考案は回転座盤による健康増進器に関する。
【背景技術】
【０００２】
健康増進器としてはぶら下がり器具とか自動歩行器具等があるが、これらは筋力の増進を目的としたものである。然しながらこれら筋力増進器は記憶力の促進、自律神経の刺激、認知症防止の脳内活性化等の生理的安定中枢機能の活性化の促進、改善、予防にはそれほどの効果が期待できない。
【考案の開示】
【考案が解決しようとする課題】
【０００３】
そこで本考案は、記憶力の促進、自律神経の刺激、認知症防止の脳内活性化等の生理的安定中枢機能の活性化の促進、改善、予防に役立つ健康増進器を提供しようとするものである。
【課題を解決するための手段】
【０００４】
基台と該基台上で回転自在な回転座盤とよりなり、基台には、正逆転が一対となって回転自在でその回転数と回転速度を調節自在とした電動機を設置し、その電動機の動力を上記回転座盤に伝動自在とし、回転座盤には両脇に落下防止取っ手を設けたものである。
【考案の効果】
【０００５】
本考案の効果として、記憶力の促進、自律神経の刺激、認知症防止の脳内活性化等の生理的安定中枢機能の活性化の促進、改善、予防に役立つものであり、しかも落下の恐れがなく簡単に健康増進を計ることができる。
【実施例】
【０００６】
本案を図示の実施例により詳記すると、基台１と該基台１上で回転自在な回転座盤２とよりなり、基台１には、正逆転が一対となって回転自在でその回転数(約４〜８回ごとに正逆転する。)と回転速度(毎分約６０〜９０、その他。)を調節自在とした減速電動機３を設置し、その電動機３の軸４に上記回転座盤２を固定して伝動自在とし、回転座盤２には静電植毛等を施し、両脇に落下防止取っ手５，５を設けてなるものである。
【０００７】
図示していないが、基台１には減速電動機３の調整ボタンが設けてあって、回転数、回転速度を調節できるようになっており、又リモートコントロールができるようにすると良い。６は基台１の上面に固定したベアリングである。
【０００８】
使用に際しては回転座盤２の上に乗って回転数、回転速度を調整し回転させる。その結果、靭帯の生理的安定中枢機能を撹乱させて生理的帰趨本能を強制的に刺激させて記憶力を促進させ、自律神経への自助回帰機能の改善、平衡感覚の回復、改善、老化防止、新陳代謝の機能改善等の効果が認められる。
【図面の簡単な説明】
【０００９】
【図１】本考案に係る健康増進器の断面説明図。
【符号の説明】
【００１０】
１：基台
２：回転座盤
３：減速電動機
４：軸
５：落下防止取っ手
６：ベアリング
【図１】
0003115040.tif 000003
(57)【要約】      （修正有）【課題】喫煙者が、タバコの箱に記載されている注意書きを、ケースを装着することにより、目に触れることを自然に阻止することにより、気分よく喫煙できるようにした、喫煙者のためのタバコケースを提供する。【解決手段】タバコの箱（Ｘ）を一部被覆するケースにおいて、タバコの箱の高さ寸法（Ｈ）より短い高さ寸法（α）であり、有底のケース本体（１）を設け、ケース本体（１）の前後面部（１ａ）（１ｂ）、左右の側面部（１ｃ）（１ｄ）そして底面部（１ｅ）を用いて、タバコの箱（Ｘ）に記載された注意書き（Ｙ）の部分であって、喫煙者にとって見たくない部分を隠蔽するタバコケースから構成される。【選択図】図１
0003115056.tif 000002
【実用新案登録請求の範囲】
【請求項１】
タバコの箱（Ｘ）を一部被覆するケースにおいて、タバコの箱（Ｘ）の高さ寸法（Ｈ）と同一寸法か、あるいは、高さ寸法（Ｈ）より短い高さ寸法（α）を有し、有底のケース本体（１）を設け、該ケース本体（１）の前・後面部（１ａ）、（１ｂ）、左・右の側面部（１ｃ）、（１ｄ）そして底面部（１ｅ）を利用して、タバコの箱（Ｘ）に記載された注意書き（Ｙ）の部分であって、喫煙者にとって見たくない部分を隠蔽することを特徴とするタバコケース。
【考案の詳細な説明】
【技術分野】
【０００１】
この考案は、タバコケースに関する。
【背景技術】
【０００２】
従来、タバコは、喫煙者にとっては、一服の清涼剤というか、神経を休めてストレスを解消するためには、必須の嗜好品である。
【０００３】
しかしながら、近年、喫煙する際の煙が、人体に悪く、健康を損ねると言われ、喫煙者本人は、喫煙により健康を害しても仕方ないが、その喫煙者の回りにいる人も、その伏流煙を吸わされる結果、喫煙者よりももっと健康に悪いとさえ言われている。
【０００４】
そのため、タバコは、百害あって一利なしとか言われ、タバコの箱にも、製造者から『吸いすぎに注意』等の意見広告も掲載されている。
【０００５】
しかしながら、喫煙者にとっては、健康に悪いことは十分承知していても、吸いたくなるものであり、タバコの箱までに警告文がされていると、後ろめたく、気分的にも不愉快になるものであった。
【０００６】
また、タバコ包装箱ホルダーは存在していたが、これは、タバコを潰さないように保護するものに過ぎなかった。例えば、特許文献１のように。
【特許文献１】特開昭６２−１５３８９４号公報
【考案の開示】
【考案が解決しようとする課題】
【０００７】
そこでこの考案は、喫煙者が、タバコの箱に記載されている注意書きを、ケースを装着することにより、目に触れることを自然に阻止することにより、気分よく喫煙できるようにした、喫煙者のためのタバコケースを開発・提供することにある。
【課題を解決するための手段】
【０００８】
そこでこの考案は、タバコの箱（Ｘ）を一部被覆するケースにおいて、タバコの箱の高さ寸法（Ｈ）か、あるいは、高さ寸法（Ｈ）より短い高さ寸法（α）であり、有底のケース本体（１）を設け、該ケース本体（１）の前後面部（１ａ）（１ｂ）、左右の側面部（１ｃ）（１ｄ）そして底面部（１ｅ）を利用して、タバコの箱（Ｘ）に記載された注意書き（Ｙ）の部分であって、喫煙者にとって見たくない部分を隠蔽するよう構成したタバコケースである。
【考案の効果】
【０００９】
この考案によると、タバコの箱（Ｘ）の表面に記載してある、『注意書き』の部分（Ｙ）を、ケース本体（１）をタバコの箱（Ｘ）に嵌挿することにより、ケース本体（１）の前面部後面部、左側面部、右側面部、そして底面部を用いて、視界から消えさせることができ、さらに、タバコが潰れるのを防止する効果もある等、極めて有益なる効果も有するものである。
【考案を実施するための最良の形態】
【００１０】
以下、図面と共に、本考案の一実施例を図面に従って説明すると、タバコの箱（Ｘ）を一部被覆するケースにおいて、タバコの箱（Ｘ）の高さ寸法（Ｈ）と同一か、あるいは、高さ寸法（Ｈ）より短い高さ寸法（α）を有し、有底のケース本体（１）を設け、該ケース本体（１）の前・後面部（１ａ）、（１ｂ）、左・右の側面部（１ｃ）、（１ｄ）そして底面部（１ｅ）を利用して、タバコの箱（Ｘ）に記載された注意書き（Ｙ）の部分であって、喫煙者にとって見たくない部分を隠蔽することを特徴とするタバコケースから構成される。
【００１１】
尚、ケース本体（１）の前・後面部（１ａ）、（１ｂ）、左・右の側面部（１ｃ）（１ｄ）そして底面部（１ｅ）には、スポンサー広告を取り、ケース本体（１）を無料、あるいは、安価に作成することも可能である。
【００１２】
さらに、ケース本体（１）の素材は、プラスチック、薄いアルミニウム、天然・人工の皮革類、紙、布等のいずれでもよく、ケース本体（１）の形状は、図１に示すように、稜線部が角形であったり、図２に示すように、丸型であってもよく、タバコの箱（Ｘ）に合ったものを作成し、さらに、ケース本体（１）の高さ寸法（α）も同様である。
【産業上の利用可能性】
【００１３】
この考案のケース本体の製造技術を確立することにより、製造・販売を通じて、産業上の利用可能性が大きい。
【図面の簡単な説明】
【００１４】
【図１】この考案の一実施例を示す斜視図である。
【図２】この考案の他の実施例を示す斜視図である。
【符号の説明】
【００１５】
１  有底のケース本体
１ａ  前面部
１ｂ  後面部
１ｃ  左側面部
１ｄ  右側面部
１ｅ  底面部
Ｘ  タバコの箱
Ｙ  注意書き
【図１】
0003115056.tif 000003
【図２】
0003115056.tif 000004
(57)【要約】      （修正有）【課題】自動車（車両）を運転中でも瞬時に着脱可能なサンバイザーを提供する。【解決手段】軽量・耐久性の高い薄板プラスチック材に保持する為の接着部（吸盤部）を設けた事で瞬時に着脱可能なサンバイザーとなる事で安全運転に寄与する事が出来る。又、有害光線を遮断する事で視力に悪影響を与える事はない。【選択図】図１
0003115001.tif 000002
【実用新案登録請求の範囲】
【請求項１】
透光率の低い透明プラスチック薄板製で吸盤を備えた自動車用サンバイザー
【請求項２】
透光率の低い透明プラスチック薄板製で接着部を備えた自動車用サンバイザー
【考案の詳細な説明】
【技術分野】
【０００１】本考案は、瞬時に着脱可能な薄板プラスチック製のサンバイザーである。
〔背景技術〕【０００２】従来のサンバイザーは、使用範囲外からの光の遮断、特に運転中の強烈な太陽光において、朝夕の比較的光源の低い時間帯にあっては、一搬のサンバイザーでは充分な使用効果が期待出来なかった。又、遮光を必要とする視野範囲において遮光範囲の光源角度は設定された最低角度を下限として設けられ高角度に移行するに従い任意に対応、調整が出来るように構成されている。
〔考案の開示〕
〔考案が解決しようとする課題〕【０００３】強烈な光の光源角度が比較的に低い場合の遮光も、該光源角度に対応出来るサンバイザーとするものである。【０００４】この考案は、遮光範囲を任意に設定出来る事で自動車の安全運転に寄与しようとする事を目的とするものである。
〔課題を解決するための手段〕【０００５】本考案は、前述の目的を達成させるための手段として透光率の低いプラスチック製の薄板透明板を任意の遮光範囲内に瞬時に着脱可能なものである。【０００６】側面からの強烈な光を遮る時は、窓を閉めた状態で車の内装材と側面ガラスのすき間にサンバイザーを挿入する【０００７】正面からの強烈な光を遮る時は繰り返し使用に耐える接着剤が塗布、又は両面テープ２が貼布してある１のサンバイザー又は吸盤４が装着してある３のサンバイザーを使用する【０００８】前記接着剤又は両面テープは剥離時に跡の残存しない透明度の高いものを使用する。
〔考案の効果〕【０００９】本考案は以上のようにサンバイザー本体の遮光範囲外からの強烈光線を遮り、かつ、視認性を阻害せず又、不使用にあってはどこにでも収納する事が出来るので自動車の運転操縦を何等阻害することなく運転者の心理状態に対しても何の影響も与えない効果ある考案である。
〔考案の実施するための最良の形態〕【００１０】運転中、側面からの強烈な光を遮る時は窓を閉めガラスと内装材のすき間に挿入、使用する【００１１】正面からの強烈な光を遮る時は吸盤４の装着してあるサンバイザーを軽く前面ガラスに押し付けて固定し使用する。
〔実施例〕【００１２】以下、添付図面に従って一実施例を説明する
１、３は耐久性のプラスチックで２は接着剤塗布部又は両面テープ部である。
強烈な光源を視界から排除するために窓を閉めた状態で内装材とガラスのすき間に瞬時に装着する。【００１３】サンバイザーを軽く浮かす様に下方に引く事で装着を解除する事が出来る。
【図面の簡単な説明】
【００１４】
【図１】接着部を有するサンバイザー
【図２】吸盤部を有するサンバイザー
【符号の説明】
【００１５】１、３  サンバイザー本体
２、    接着部（全面接着でも可）
４、    吸盤部
【図１】
0003115001.tif 000003
【図２】
0003115001.tif 000004
(57)【要約】【課題】  外出先等で容易に楊枝感覚で歯磨きが可能な楊枝歯ブラシを提供する。【解決手段】  楊枝歯ブラシ１の軸２の尖った先端部３の他端側に軸２の長さ方向と直角方向になるようブラシ毛４を設置したブラシ部５を有することを特徴とする。【選択図】  図１
0003115010.tif 000002
【実用新案登録請求の範囲】
【請求項１】
木、竹又はプラスチックからなる楊枝において、軸２の一方に尖った先端部３を有し、他方の端から最大３０ｍｍの範囲内にブラシ毛の配置方向が軸２の長さ方向に対して直角方向となるブラシ部５を有することを特徴とする楊枝歯ブラシ１．
【考案の詳細な説明】
【技術分野】
【０００１】  本考案は、一端が尖った楊枝の他端側にブラシ毛を配置した楊枝歯ブラシにする。
【背景技術】
【０００２】  従来の楊枝は、歯間に挟まった食物カスを除去することはできるが、歯の表面の付着物を除去することは出来ない。歯の表面を磨くためのものとしてブラシ付楊枝があった（例えば実用新案文献情報１参照）。
【実用新案文献情報１】
実開平７−４２３１０
【考案の開示】
【考案が解決しようとする課題】
【０００３】  これには次のような欠点があった。
一端が尖った楊枝の他端側に軸方向にブラシ毛を設置してあり、楊枝として使う他に歯磨きとして使えるが、ブラシ毛の配置面積は軸の大きさと同じ程度であり、一回のブラッシングで磨ける範囲は狭く、一定面積の歯の表面を磨くのに一般の歯ブラシに較べ時間がかかり過ぎるという欠点があった。
本考案は、この欠点を除き、一端が尖った先端部の他端側に軸の長さ方向に対して直角方向にブラシ毛を配置したため、ブラシ毛の設置範囲を広くすることができ、一回のブラッシングで歯を磨ける範囲を広くし、楊枝として使える他に楊枝感覚で歯ブラシとしても使える楊枝歯ブラシを提供するものである。
【課題を解決するための手段】
【０００４】  上記の目的を達成するため、本考案の楊枝歯ブラシ１は、軸２の一端に尖った先端部３を有し、他端側に軸２の長さ方向に対して直角方向にブラシ毛４を配置したブラシ部５を有する。
【考案の効果】
【０００５】  楊枝歯ブラシ１の軸２の一方の尖った先端部３を用いて、食後等に歯間の食料カスを除去し、次いで、他端側に楊枝軸２と直角に配置したブラシ毛４で歯の表面を磨くことができるので、外出先でもすっきりする。本考案の楊枝ブラシ１を携帯していれば、外出先で食後等に歯ブラシが使えないような場合でも、楊枝感覚で歯磨きができる。
【考案を実施するための最良の形態】
【０００６】  本考案による楊枝歯ブラシの実施例を図において説明する。図１は本考案実施例１による楊枝歯ブラシの正面図、図２はその平面図、図３は側面図である。図４は実施例２、図５は実施例３の図を示す。図６従来のブラシ付楊枝である。
【実施例１】
【０００７】  図１において、木、竹又はプラスチックからなる楊枝歯ブラシ１は軸２、軸２の一方の尖った先端部３及び他方のブラシ毛４を設置したブラシ部５からなる。ブラシ毛４は軸２の長さ方向に対して直角方向に設置してある。ブラシ毛４を設置する範囲は、尖った先端部３の反対側端から３０ｍｍ以内、例えば１０ｍｍ程度とすれば、従来のブラシ付楊枝のブラシの範囲よりも広くできるので実用的である。
本実施例による軸２の断面形状は図３の側面図で表わされているように扁平な板状であるが、円形状、多角形状又は半円形状でもよい。
【実施例２】
【０００８】  図４は軸２の断面が円形状でブラシ毛４の設置面を平らに削ったものである。図４（ａ）は正面図、図４（ｂ）はＡ−Ａ断面、図４（ｃ）はＢ−Ｂ断面を示す。
【実施例３】
【０００９】  図５は軸２の断面が円形状で、円形状の設置面にブラシ毛４を設置したものであり、図５（ａ）は正面図であり、図５（ｂ）は側面図である。ブラシ毛４の設置方向は図５（ｂ）に示すように放射状になる。
【図面の簡単な説明】
【００１０】
【図１】  実施例１による楊枝歯ブラシの正面図
【図２】  図１の平面図
【図３】  図１の左側図面
【図４】  （ａ）施例２による楊枝歯ブラシの正面図  （ｂ）図４（ａ）のＡ−Ａ断面  （ｃ）図４（ａ）のＢ−Ｂ断面
【図５】  （ａ）実施例３による楊枝歯ブラシの正面図  （ｂ）図４（ｂ）の左側面図
【図６】  従来のブラシ付楊枝の概念図
【符号の説明】
【００１１】  １  楊枝歯ブラシ
２  軸
３  尖った先端部
４  ブラシ毛
５  ブラシ
【図１】
0003115010.tif 000003
【図２】
0003115010.tif 000004
【図３】
0003115010.tif 000005
【図４】
0003115010.tif 000006
【図５】
0003115010.tif 000007
【図６】
0003115010.tif 000008